(57)【要約】【課題】故障や事故を生じさせる可能性の原因を未然に取り除いたＬＰガス用高圧ホース装置及び該装置に使用する集合接続金具を提供する。【解決手段】集合接続金具３が、各ＬＰガス容器の上部にあるホース接続口に接離自在に接続される容器接続金具が取り付けられた一対の高圧ホース２ａ及び２ｂの各々を介して容器から供給されてくる高圧ガスを集合させて圧力調整器に供給する。集合接続金具３は、中心にガス流路を有するホース継手３１、３１と、圧力調整器に接続される接続口３２ａ及び取り付けられて一体化されたホース継手のガス流路と接続口とを連通する連通空間３２ｄを有する接続ヘッド３２と、各ホース継手のガス流路の連通空間側端を連通空間側からの付勢力によって常時閉じ、ガス消費に伴うガス流によって付勢力に抗して移動して開する弁体とを有する。【選択図】　　　図１
2004092811.tif 000002
【特許請求の範囲】
【請求項１】
２本のＬＰガス容器と供給ガス圧力を調整する圧力調整器との間に介在し、前記ＬＰガス容器からの高圧ガスを前記圧力調整器に供給するＬＰガス用高圧ホース装置であって、
前記各ＬＰガス容器の上部にあるホース接続口に接離自在に接続される容器接続金具が一端に取り付けられた一対の高圧ホースと、前記各高圧ホースを介して前記ＬＰガス容器から供給されてくる高圧ガスを集合させて圧力調整器に供給する集合接続金具を備え、
前記集合接続金具は、前記各高圧ホースが接続され、中心にガス流路を有するホース継手と、前記圧力調整器に接続される接続口及び取り付けられて一体化された前記ホース継手のガス流路と前記接続口とを連通する連通空間を有する接続ヘッドと、前記各ホース継手のガス流路の連通空間側端を連通空間側からの付勢力によって常時閉じ、ガス消費に伴うガス流によって前記付勢力に抗して移動して開する弁体とを有する
ことを特徴とするＬＰガス用高圧ホース装置。
【請求項２】
前記弁体を球体によって形成するとともに、前記ガス流路の連通空間端の前記球体が接する面を円錐面とし、前記球体をスプリングによって付勢して前記円錐面に常時接触させるようにした
ことを特徴とする請求項１記載のＬＰガス用高圧ホース装置。
【請求項３】
前記ガス流路の連通空間側端に大径部を形成し、該大径部が形成する空間に前記球体と前記スプリングとを収容して保持し、前記大径部と小径部との境に形成した前記円錐面に前記球体を常時接触させるようにした
ことを特徴とする請求項２記載のＬＰガス用高圧ホース装置。
【請求項４】
２本のＬＰガス容器と供給ガス圧力を調整する圧力調整器との間に介在し、前記ＬＰガス容器からの高圧ガスを前記圧力調整器に供給するＬＰガス用高圧ホース装置を、前記各ＬＰガス容器の上部にあるホース接続口に接離自在に接続される容器接続金具が一端に取り付けられた一対の高圧ホースと共に構成し、前記各高圧ホースを介して前記ＬＰガス容器から供給されてくる高圧ガスを集合させて圧力調整器に供給する集合接続金具であって、
各高圧ホースが接続され、中心にガス流路を有するホース継手と、前記圧力調整器に接続される接続口及び取り付けられて一体化された前記ホース継手のガス流路と前記接続口とを連通する連通空間を有する接続ヘッドと、前記各ホース継手のガス流路の連通空間側端を連通空間側からの付勢力によって常時閉じ、ガス消費に伴うガス流によって前記付勢力に抗して移動して開する弁体とを有する
ことを特徴とする集合接続金具。
【発明の詳細な説明】
【０００１】
【発明の属する技術分野】
本発明はＬＰガス用高圧ホース装置及び該装置に使用する集合接続金具に係り、より詳細には、２本のＬＰガス容器（以下、単に容器と略記する）を使用するガス供給設備において、２本の容器と供給ガスの圧力を調整する圧力調整器との間に介在し、２本の容器からの高圧ガスを圧力調整器に供給できるようにするＬＰガス用高圧ホース装置及び該装置に使用する集合接続金具に関するものである。
【０００２】
【従来の技術】
従来この種のＬＰガス用高圧ホース装置は、図３に示すように構成されており、図示しない容器の上部にあるホース接続口に接離自在に接続されるようになった容器接続金具１、１が一端に取り付けられた一対の高圧ホース２、２と、各高圧ホース２、２の他端と圧力調整器に至る図示しない配管がそれぞれ接続され、高圧ホース２、２を介して容器から供給されてくる高圧ガスを集合させて配管を通じて圧力調整器に供給する集合接続金具３とを備える。
【０００３】
集合接続金具３は、各高圧ホース２、２の他端がそれぞれ接続されるホース継手３１、３１と、圧力調整器に至る図示しない配管が接続される接続口３２ａを有する接続ヘッド３２とを有する。各ホース継手３１は、長手方向の中心にガス流路となる中心孔３１ａを有し、その一端外周のホース接続部３１ｂに高圧ホース２、２の他端が接続される。各ホース継手３１はまた、他端外周の螺合部３１ｃが接続ヘッド３２の螺合穴３２ｂに螺合されて取り付けられ接続ヘッド３２と一体化される。
【０００４】
接続ヘッド３２は、螺合穴３２ｂ、３２ｂに螺合部３１ｃが螺合されて一体化されたホース継手３１、３１の中心孔３１ａと連通する空間３２ｃを有する。空間３２ｃは接続口３２ａにも連通しており、ホース継手３１、３１の中心孔３１ａと接続口３２ａとの間の流路を形成している。空間３２ｃの内部には、図４の拡大図に示すように、弁体３３ａと一体に形成されたピストン３３が収容され、ピストン３３がホース継手３１、３１の空間３２ｃ側の一端に形成されている弁座３１ｄ、３１ｄ間を移動するように案内されている。ピストン３３の弁体３３ａが何れのホース継手３１の弁座３１ｄ、３１ｄとも接触していない状態では、ホース継手３１、３１の中心孔３１ａを介して容器から供給された高圧ガスがピストン３３によって仕切られている各空間部分を通じて接続口３２ａから供給されるようになる。
【０００５】
したがって、ピストン３３は、２本の容器からホース継手３１、３１を通じて供給される高圧ガスの圧力に応じた位置に移動し、相対的に高圧状態にある容器からの供給量を増やし、２本の容器の残量がほぼ等しくするように働く。この他、一方の容器だけが取り外したときに、残っている容器からのガス圧力によってピストン３３が一方に移動して一体の弁体３３ａが一方の弁座３１ｄを閉じるようになるので、容器のバルブを締めなくても容器交換をできるようにする働きも有する。
【０００６】
【発明が解決しようとする課題】
しかしながら、上述した従来のＬＰガス用高圧ホース装置では、弁体３３ａが一つで、しかも、何れの弁座３１ｄ、３１ｄをも閉じない圧力差に応じた中間的な位置をとるようになっているため、常に２本の容器間が空間３２ｃを介して相互に連通された状態になっている。
【０００７】
このような状態にあると、２本の容器の一方が日当たりの良い日向に、他方が日当たりの悪い日陰に配置されたような場合、時間の経過とともに、日向に配置した容器から日陰に配置した容器に液移動が生じ、その分日陰の容器の質量が増加することが確認されている。
【０００８】
このような現象は、ガス消費時には、２本の容器が日向、日陰の何れにあっても、双方の容器からほぼ同じ様に消費されるものの、ガス消費がない場合には、日向側容器は相対的に圧力が高い分だけ、日陰側容器との圧力均衡を保つために、図　に矢印で示すようにガス又はミスト状のものが日向側容器から日陰側容器に流れ、日陰側容器内で液化している可能性が高いことから、時間の経過とともに、日陰に配置した容器に液移動が生じて起こったものと想像される。
【０００９】
このような状況が発生すると、容器設置後に過充填状態が発生し、これが原因で安全弁が作動し、その勢いで容器が転倒し、故障や事故の元となる可能性が否定できない。
【００１０】
よって、本発明は、上述した従来の技術的課題を解決することを目的としてなされたもので、故障や事故を生じさせる可能性の原因を未然に取り除いたＬＰガス用高圧ホース装置及び該装置に使用する集合接続金具を提供することを課題とする。
【００１１】
【課題を解決するための手段】
上記課題を解決するためなされた請求項１記載の発明は、２本のＬＰガス容器と供給ガス圧力を調整する圧力調整器との間に介在し、前記ＬＰガス容器からの高圧ガスを前記圧力調整器に供給するＬＰガス用高圧ホース装置であって、前記各ＬＰガス容器の上部にあるホース接続口に接離自在に接続される容器接続金具が取り付けられた一対の高圧ホースと、前記各高圧ホースを介して前記ＬＰガス容器から供給されてくる高圧ガスを集合させて圧力調整器に供給する集合接続金具を備え、前記集合接続金具は、前記各高圧ホースが接続され、中心にガス流路を有するホース継手と、前記圧力調整器に接続される接続口及び取り付けられて一体化された前記ホース継手のガス流路と前記接続口とを連通する連通空間を有する接続ヘッド３２と、前記各ホース継手のガス流路の連通空間側端を連通空間側からの付勢力によって常時閉じ、ガス消費に伴うガス流によって前記付勢力に抗して移動して開する弁体とを有することを特徴とするＬＰガス用高圧ホース装置に存する。
【００１２】
請求項１記載の発明によれば、各ＬＰガス容器の上部にあるホース接続口に接離自在に接続される容器接続金具が取り付けられた一対の高圧ホースの各々を介してＬＰガス容器から供給されてくる高圧ガスを集合接続金具が集合させて圧力調整器に供給する。集合接続金具の接続ヘッドが有する連通空間が、各高圧ホースが接続されたホース継手が中心に有するガス流路と、圧力調整器に接続される接続口とを連通していて、各ホース継手のガス流路の連通空間側端を連通空間側からの付勢力によって常時閉じる弁体が、ガス消費に伴うガス流によって付勢力に抗して移動して開するようになっている。
【００１３】
従って、ガス消費のないときには両弁体は閉じており、仮に、一方の弁体が開してＬＰガス容器の液又はガスが連通空間に流入しても、これが他方のＬＰガス容器に流入することがない。
【００１４】
上記課題を解決するためなされた請求項２記載の発明は、前記弁体を球体によって形成するとともに、前記ガス流路の連通空間端の前記球体が接する面を円錐面とし、前記球体をスプリングによって付勢して前記円錐面に常時接触させるようにしたことを特徴とする請求項１記載のＬＰガス用高圧ホース装置に存する。
【００１５】
請求項２記載の発明によれば、弁体を球体によって形成するとともに、ガス流路の連通空間端の球体が接する面を円錐面とし、球体をスプリングによって付勢して円錐面に常時接触させるようにしているので、単純な構造によって気密性の良好な閉弁を行うことができる。
【００１６】
上記課題を解決するためなされた請求項３記載の発明は、前記ガス流路の連通空間側端に大径部を形成し、該大径部が形成する空間に前記球体と前記スプリングとを収容して保持し、前記大径部と小径部との境に形成した前記円錐面に前記球体を常時接触させるようにしたことを特徴とする請求項２記載にＬＰガス用高圧ホース装置に存する。
【００１７】
請求項３記載の発明によれば、ガス流路の連通空間側端に形成した大径部の空間に球体とスプリングとを収容して保持し、大径部と小径部との境に形成した円錐面に球体を常時接触させるようにしているので、ホース継手とホース継手の中心のガス流路を開閉する弁とを一体化することができる。
【００１８】
上記課題を解決するためなされた請求項４記載の発明は、２本のＬＰガス容器と供給ガス圧力を調整する圧力調整器との間に介在し、前記ＬＰガス容器からの高圧ガスを前記圧力調整器に供給するＬＰガス用高圧ホース装置を、前記各ＬＰガス容器の上部にあるホース接続口に接離自在に接続される容器接続金具が一端に取り付けられた一対の高圧ホースと共に構成し、前記各高圧ホースを介して前記ＬＰガス容器から供給されてくる高圧ガスを集合させて圧力調整器に供給する集合接続金具であって、各高圧ホースが接続され、中心にガス流路を有するホース継手と、前記圧力調整器に接続される接続口及び取り付けられて一体化された前記ホース継手のガス流路と前記接続口とを連通する連通空間を有する接続ヘッドと、前記各ホース継手のガス流路の連通空間側端を連通空間側からの付勢力によって常時閉じ、ガス消費に伴うガス流によって前記付勢力に抗して移動して開する弁体とを有することを特徴とする集合接続金具に存する。
【００１９】
請求項４記載の発明によれば、各ＬＰガス容器の上部にあるホース接続口に接離自在に接続される容器接続金具が取り付けられた一対の高圧ホースの各々を介してＬＰガス容器から供給されてくる高圧ガスを集合させて圧力調整器に供給する集合接続金具において、接続ヘッドが有する連通空間が、各高圧ホースが接続されたホース継手が中心に有するガス流路と、圧力調整器に接続される接続口とを連通し、各ホース継手のガス流路の連通空間側端を連通空間側からの付勢力によって常時閉じる弁体が、ガス消費に伴うガス流によって付勢力に抗して移動して開するが、ガス消費のないときには両弁体は閉じており、仮に、一方の弁体が開してＬＰガス容器の液又はガスが連通空間に流入しても、他方の弁体が閉じているので、これが他方のＬＰガス容器に流入することがない。
【００２０】
【発明の実施の形態】
以下、図面に基づき本発明の実施形態を説明する。
図１は本発明によるＬＰガス用高圧ホース装置の一実施の形態を示し、集合接続金具３を除く部分は、図３について上述した従来の装置と同一であるので、図示を省略するとともに、同等の部分には同一の参照符号を付し、その詳細な説明も省略している、
【００２１】
図１において、集合接続金具３は、一端に容器接続金具が取り付けられている図示しない各高圧ホースの他端がそれぞれ接続される黄銅又はＳＵＳ製のホース継手３１、３１と、圧力調整器に至る図示しない配管が接続される接続口３２ａを有する接続ヘッド３２とを有する。各ホース継手３１は、長手方向の中心にガス流路となる中心孔３１ａ、３１ａを有し、その一端外周のホース接続部３１ｂに高圧ホースの他端が接続される。各ホース継手３１はまた、他端外周の螺合部３１ｃ、３１ｃが接続ヘッド３２の螺合穴３２ｂ、３２ｂに螺合されて取り付けられ接続ヘッド３２と一体化される。
【００２２】
接続ヘッド３２は、螺合穴３２ｂ、３２ｂに螺合部３１ｃが螺合されて一体化されたホース継手３１、３１の中心孔３１ａと接続口３２ｃとを連通する連通空間３２ｄを有し、連通空間３２ｄが中心孔３１ａと接続口３２ａとを結ぶ流路を形成している。
【００２３】
各ホース継手３１の長手方向の中心に形成されているガス流路となる中心孔３１ａは、図２の部分拡大図に示すように、連通空間端側が大径部３１ａ′とされ、小径部３１ａ″との境に鏡面仕上げの円錐面３１ｅが形成されている。大径部３１ａ′内には、円錐面３１ｅに接触して中心孔３１ａを閉じる弁体として働くＳＵＳ又は樹脂製の球体３４と、球体３４を常時円錐面３１ｅに接触させて気密を保てるように付勢力を付与する円錐台状のコイル状スプリング３５とが収容されている。大径部３１ａ′に収容された球体３４とコイル状スプリング３５は、大径部３１ａ′の連通空間端の内周に形成した螺子孔に外周に形成した螺子を螺合させて固定したナット状の留め金３６によって、その状態が保持されている。
【００２４】
なお、コイル状スプリング３５の付勢力は、ガス消費に伴うガス流によって、弁体としての球体３４が円錐面３１ｅから離れて、弁開する程度のものにする。よって、球体３４が、各ホース継手の中心孔３１ａの連通空間側端を連通空間３２ｄ側からの付勢力によって、中心孔３１ａを常時閉じ、ガス消費に伴うガス流によって付勢力に抗して移動して中心孔３１ａのガス流路を開する弁体として働くようにする。
【００２５】
以上のような構成によって、ガス消費がなく、ガス供給が行われていないときには、球体３４はコイル状スプリング３５の付勢力によって円錐面３１ｅに接触した状態に保たれ、ホース継手３１、３１の中心孔３１ａのガス流路が閉じられている。
【００２６】
今、図示しない高圧ホースを介してホース継手３１、３１にそれぞれ接続されたＬＰガス容器の一方が日陰に、他方が日向に設置されていると、日向側の容器の内圧が徐々に上昇するようになり、日向側の容器が接続されているホース継手３１内の球体３４がその上流側と下流側との間に差圧が生じ、この差圧がコイル状スプリング３５の付勢力に抗して球体３４を移動させる程度に大きくなると、球体３４からなる弁体は開弁するようになる。このことによって、内圧の上昇した日向側の容器から開弁した弁体を通じて連通空間３２ｄ内に液又はガス流入して、連通空間３２ｄ内の圧力が徐々に上昇するようになる。
【００２７】
これに対し、日陰側の容器の内圧は上昇せず、このため日陰側の容器が接続されているホース継手３１内の球体３４は、コイル状スプリング３５の付勢力に加え、上昇した連通空間３２ｄ内の圧力によって、より大きな力で円錐面３１ｅに押し付けられるようになる。従って、開弁したガス流路を通じて日向側の容器から連通空間３２ｄ内に液又はガスが流入することがあっても、これが日陰側の容器に移動することがなくなり、容器間の液移動が防止されるようになる。
【００２８】
なお、ガス消費があるときには、連通空間３２ｄ内の圧力が低下し、両ホース継手３１、３１内の球体３４の上流側と下流側との間に差圧が生じ、この差圧がコイル状スプリング３５の付勢力に抗して球体３４を移動するようになると、円錐面３１ｅから離れて開弁するようになり、日向及び日陰の何れに設置された容器からもガス供給することができるようになっている。
【００２９】
また、上述したように、球体３４はコイル状スプリング３５の弱い付勢力によって円錐面３１ｅに常に押し付けられた閉弁状態に保たれ、ガス消費のないときには、ほぼ同じ位置にあるので、容器交換のため高圧ホースの内圧を放出すると、これが球体３４を閉弁する方向の負圧として働くようになる。したがって、容器交換時に、連通空間３２ｄ内のガスが圧力ホースを通じて外に漏れるのを防ぐようになる。
【００３０】
【発明の効果】
請求項１記載の発明によれば、各ホース継手のガス流路の連通空間側端を連通空間側からの付勢力によって常時閉じる弁体が、ガス消費に伴うガス流によって付勢力に抗して移動して開するようになっていて、ガス消費のないとき、仮に、一方の弁体が開してＬＰガス容器の液又はガスが連通空間に流入しても、他方の弁体が閉弁し、これが他方のＬＰガス容器に流入することがないので、故障や事故を生じさせる可能性の原因を未然に取り除くことができるＬＰガス用高圧ホース装置を得ることができる。
【００３１】
請求項２記載の発明によれば、弁体を球体によって形成するとともに、ガス流路の連通空間端の球体が接する面を円錐面とし、球体をスプリングによって付勢して円錐面に常時接触させるようにし、単純な構造によって気密性の良好な閉弁を行うことができるので、故障や事故を生じさせる可能性の原因を安価な手段にて未然に取り除くことができるＬＰガス用高圧ホース装置を得ることができる。
【００３２】
請求項３記載の発明によれば、ガス流路の連通空間側端に形成した大径部の空間に球体とスプリングとを収容して保持し、大径部と小径部との境に形成した円錐面に球体を常時接触させるようにし、ホース継手とホース継手の中心のガス流路を開閉する弁とを一体化することができるので、故障や事故を生じさせる可能性の原因を組み立て取り扱いに便利な手段にて未然に取り除区事ができるＬＰガス用高圧ホース装置を得ることができる。
【００３３】
請求項４記載の発明によれば、ガス消費のないとき、仮に、一方の弁体が開してＬＰガス容器の液又はガスが連通空間に流入しても、他方の弁体が閉弁しているので、これが他方のＬＰガス容器に流入することがないガス消費のないときには両弁体は閉じており、仮に、一方の弁体が開してＬＰガス容器の液又はガスが連通空間に流入しても、これが他方のＬＰガス容器に流入することがないので、故障や事故を生じさせる可能性の原因を未然に取り除くことができる集合接続金具を得ることができる。
【図面の簡単な説明】
【図１】本発明のＬＰガス用高圧ホース装置の要部である集合接続金具の一実施の形態を一部断面にて示す側面図である。
【図２】図１中の一部分であるホース継手の拡大断面図図である。
【図３】従来のＬＰガス用高圧ホース装置を一部分断面で示す側面図である。
【図４】図３中の一部分の拡大断面図である。
【符号の説明】
１ａ、１ｂ　　　　容器接続金具
２ａ、２ｂ　　　　高圧ホース
３　　　　　　　　集合接続金具
３１、３１　　　　ホース継手
３１ａ、３１ａ　　ガス流路（中心孔）
３１ａ′　　　　　大径部
３１ａ″　　　　　小径部
３１ｅ　　　　　　円錐面
３２　　　　　　　接続ヘッド
３２ａ　　　　　　接続口
３２ｄ　　　　　　連通空間
３４　　　　　　　弁体
３５　　　　　　　スプリング
３６　　　　　　　留め金
【図１】
2004092811.tif 000003
【図２】
2004092811.tif 000004
【図３】
2004092811.tif 000005
【図４】
2004092811.tif 000006